(57)【要約】      （修正有）【課題】電動の送風装置に電力を供給する電源装置をポケットに収納した状態で違和感なく着用することができる衣服を提供する。【解決手段】衣服１は、上半身を覆う胴衣２と、腕を覆う一対の袖３と、を一体的に有しており、胴衣２の所定位置に形成され、胴衣の内側に外気を送り込む電動の送風ファン１００を取付可能な取付孔１３と、胴衣２に取り付けられて、胴衣２を着用者の身体に沿わせる伸縮可能な裾ゴム１４と、胴衣２に取り付けられて、送風ファン１００に電力を供給するバッテリーを収納するポケット２０と、を備えている。そして、ポケット２０の下端縁は、裾ゴム１４の取付領域の上端縁から取付領域の下端縁までに対向する位置に固定されている。ポケット２０の下端縁が取り付けられた位置では、裾ゴム１４によって後身頃１２のたわみや変形が抑制され、バッテリーの重みを支持することができる。【選択図】図２
0003230521.tif 000002
【実用新案登録請求の範囲】
【請求項１】
胴衣の所定位置に形成されて、前記胴衣の内側に外気を送り込む電動の送風装置を取付可能な取付孔と、
前記胴衣に取り付けられて、前記胴衣を着用者の身体に沿わせる伸縮可能な伸縮材と、
前記胴衣に取り付けられて、前記送風装置に電力を供給する電源装置を収納するポケットと、を備え、
前記ポケットの下端縁は、前記伸縮材を取り付ける取付領域の上端縁から前記取付領域の下端縁までに対向する位置に固定されている
ことを特徴とする衣服。
【請求項２】
請求項１に記載された衣服において、
前記取付孔及び前記ポケットは、前記胴衣の後身頃に設けられ、
前記伸縮材は、前記後身頃のウエスト部に沿って取り付けられている
ことを特徴とする衣服。
【請求項３】
請求項１又は請求項２に記載された衣服において、
前記取付孔は、前記胴衣の身幅方向の中央部を挟んで左右対称となる位置にそれぞれ設けられ、
前記ポケットは、前記胴衣の身幅方向の中央部に取り付けられている
ことを特徴とする衣服。
【考案の詳細な説明】
【技術分野】
【０００１】
本考案は、送風装置に電力供給する電源装置を収納するポケットを備えた衣服に関するものである。
【背景技術】
【０００２】
従来から、快適な作業環境を提供するために電動の送風ファン（送風装置）を取付可能な衣服が知られている。このような衣服には、送風ファンに電力を供給する携帯用のバッテリー（電源装置）を収納するポケットが取り付けられている（例えば、特許文献１及び特許文献２参照）。
【先行技術文献】
【特許文献】
【０００３】
【特許文献１】特開２０１９−１１５２４号公報
【特許文献２】特許第４５５９３４９号公報
【考案の概要】
【考案が解決しようとする課題】
【０００４】
しかしながら、従来の衣服では、バッテリーを収納するポケットが後身頃の下部に取り付けられている。そのため、バッテリーの重みで後身頃が下方に引っ張られ、襟元が締まってしまうという問題があった。また、バッテリーを収納するポケットを前身頃に取り付けた場合、前屈み作業時に、バッテリーの重みでポケットが垂れ下がり、衣服が作業台等に接触する等して作業の邪魔になるという問題が生じる。
【０００５】
本考案は、上記問題に着目してなされたもので、電動の送風装置に電力を供給する電源装置をポケットに収納した状態で違和感なく着用することができる衣服を提供することを目的とする。
【課題を解決するための手段】
【０００６】
上記目的を達成するため、本考案の衣服は、胴衣の所定位置に形成されて、前記胴衣の内側に外気を送り込む電動の送風装置を取付可能な取付孔と、前記胴衣に取り付けられて、前記胴衣を着用者の身体に沿わせる伸縮可能な伸縮材と、前記胴衣に取り付けられて、前記送風装置に電力を供給する電源装置を収納するポケットと、を備えている。そして、前記ポケットの下端縁は、前記伸縮材の取付領域の上端縁から前記取付領域の下端縁までに対向する位置に固定されている。
【考案の効果】
【０００７】
本考案に係る衣服は、電動の送風装置に電力を供給する電源装置をポケットに収納した状態で違和感なく着用することができる衣服を提供することができる。
【図面の簡単な説明】
【０００８】
【図１】実施例１の衣服を示す正面図である。
【図２】実施例１の衣服を示す背面図である。
【図３】実施例１の衣服の後身頃の内側を示す説明図である。
【図４】図３におけるＡ−Ａ断面図である。
【図５】実施例１の衣服にバッテリーを収納した状態での要部断面図である。
【図６】実施例１の衣服の第１変形例の要部断面図である。
【図７】実施例１の衣服の第２変形例の要部断面図である。
【図８Ａ】実施例１の衣服の第３変形例の要部分解説明図である。
【図８Ｂ】実施例１の衣服の第３変形例の外観斜視図である。
【考案を実施するための形態】
【０００９】
以下、本考案の衣服を実施するための形態を、図面に示す実施例１に基づいて説明する。
【００１０】
実施例１の衣服１は、図１及び図２に示すように、着用者が上半身に着る上着（ジャンパー）であり、上半身を覆う胴衣２と、腕を覆う一対の袖３、３と、を一体的に有している。胴衣２は、着用者の前面を覆う前身頃１１と、着用者の背面を覆う後身頃１２とを有する。
【００１１】
なお、本明細書において、前後左右を用いた文言は、衣服１を着用した着用者から見た方向を指す。
【００１２】
前身頃１１は、左前身頃１１Ｌと右前身頃１１Ｒを有し、着用者の身幅方向中央に設けられた係止部材（例えば、スライドファスナ）１１ａによって開閉自在に係止される。図３に示すように、係止部材１１ａは、左前身頃１１Ｌに設けられた前立て１１ｂの裏側に設けられる。また、右前身頃１１Ｒは、前立て１１ｂの少なくとも一部と重なる位置にファスナガード１１ｃを有している。係止部材１１ａは、前立て１１ｂとファスナガード１１ｃとの間で左右の前身頃１１Ｌ，１１Ｒを係止する。
【００１３】
図２に示すように、胴衣２の後身頃１２には、電動の送風ファン（送風装置）１００を取り付けるための一対の取付孔１３，１３が形成されている。一対の取付孔１３，１３は、後身頃１２の身幅方向の中央部を挟んで左右対称となる位置にそれぞれ設けられている。また、後身頃１２の内側には、取付孔１３の周縁部を補強する補強板１３ａが設けられている。そして、後身頃１２の外側には、取付孔１３を覆うカバー１３ｂが設けられている。カバー１３ｂはメッシュ布で形成され、送風ファン１００による外気の取り込みを妨害しない一方、送風ファン１００が破損した場合に破損した部品が落下するのを防ぐ役割を果たす。さらに、後身頃１２の内側には、送風ファン１００とバッテリー１０１とを接続するケーブル１０２を胴衣２に固定する留め具１３ｃが設けられている。ケーブル１０２は、留め具１３ｃに支持されることで、落下が防止される。
【００１４】
また、図３に示すように、着用時、着用者のウエスト部に沿う胴衣２の裾部（下端部）２ａには、ベルト状の裾ゴム１４が取り付けられている。裾ゴム１４は、胴回り方向（胴衣２の周方向、すなわち左右方向）に伸縮可能な伸縮材であり、自身の持つ伸縮力により、着用者の胴回りに密着するように裾部２ａを着用者の身体（ウエスト部）に沿わせる。
【００１５】
また、図４に示すように、裾ゴム１４は、裾部２ａが胴衣２の内側に折り返されて生じた空間内に配置されている。裾ゴム１４が配置された空間は、胴衣２の全周（左右の前身頃１１Ｌ，１１Ｒ及び後身頃１２）にわたって延びている。これにより、折り返された裾部２ａの先端２ｂが胴衣２に縫い付けられた縫止め位置αと、裾部２ａの折り返し位置βとの間が、裾ゴム１４を胴衣２に取り付ける取付領域Ｒとなる。なお、縫止め位置αが取付領域Ｒの上端縁となり、折り返し位置βが取付領域Ｒの下端縁となる。また、実施例１では、縫止め位置αにシャーリング加工が施され、裾部２ａにひだ（シワ）が形成されている。これにより、裾ゴム１４の伸縮性が確保される。また、裾ゴム１４は、裾部２ａにチェーンステッチで打ち付けられている。
【００１６】
さらに、図３に示すように、後身頃１２の内側であって、身幅方向の中央部、すなわち一対の取付孔１３の間には、ポケット２０が取り付けられている。ポケット２０は、マチのない一枚の生地からなり、周縁部が後身頃１２に縫い付けられて送風ファン１００に電力を供給するバッテリー（電源装置）１０１を収納する空間を形成する。なお、ポケット２０の幅寸法（身幅方向の長さ）及び深さ寸法（身丈方向の長さ）は、バッテリー１０１の大きさに応じて設定される。また、ポケット２０には、バッテリー１０１と送風ファン１００とを接続するケーブル１０２を通すケーブル孔２１が設けられている。ケーブル孔２１を設けたことで、ケーブル１０２が引っ張られてバッテリー１０１がポケット２０の開口部から落下するのを防止することができる。
【００１７】
また、ポケット２０の開口部２０ａは、補強のために折り返されると共に、スナップボタン２２が取り付けられている。スナップボタン２２は、ポケット２０の開口部２０ａを後身頃１２の内側に着脱自在に固定する。スナップボタン２２を取り付けたことで、ポケット２０は、開口部２０ａを封鎖することができ、ポケット２０に収納したバッテリー１０１の脱落を防止することができる。なお、ポケット２０の開口部２０ａには、スナップボタン２２の代わりに面ファスナーや、スライドファスナー等を設けてもよいし、何も設けていなくてもよい。
【００１８】
また、ポケット２０は、下端縁２３が裾部２ａの縫止め位置αに縫い合わされている。なお、ポケット２０は、裾加工（裾ゴム１４の取り付け）が行われた後、後身頃１２に取り付けられる。そのため、ポケット２０は、裾ゴム１４の収縮力に抗して縫止め位置αに形成されたひだ（シワ）が伸ばされた状態で縫止め位置αに縫い合わされる。これにより、ポケット２０の下端縁２３は、裾ゴム１４の取付領域Ｒの上端縁（折り返された裾部２ａの先端２ｂが胴衣２に縫い付けられた縫止め位置α）と同じ位置に固定される。すなわち、ポケット２０の下端縁２３の取付位置は、裾ゴム１４の取付領域Ｒの上端縁に一致している。なお、縫止め位置αのひだ（シワ）が伸ばされた状態でポケット２０の下端縁２３が縫い合わされるため、裾ゴム１４が縮むことで下端縁２３にひだ（シワ）が形成され、裾ゴム１４の伸縮性が確保される。
【００１９】
以下、図５に基づいて、実施例１の衣服１の作用を説明する。
【００２０】
実施例１の衣服１は、一対の取付孔１３，１３のそれぞれに送風ファン１００を取り付け、ポケット２０にバッテリー１０１を収納し、送風ファン１００とバッテリー１０１とをケーブル１０２を介して接続した状態で着用される。
【００２１】
そして、衣服１を着用した状態では、図５に示すように、バッテリー１０１を収納したことで、バッテリー１０１の重みがポケット２０に作用し、ポケット２０は下方（重力方向）に引っ張られる。また、これにより、後身頃１２にもバッテリー１０１の重みが作用する。
【００２２】
これに対し、実施例１の衣服１では、ポケット２０の下端縁２３が、裾ゴム１４の取付領域Ｒの上端縁（縫止め位置α）と同じ位置に固定されている。そのため、ポケット２０の下端縁２３が取り付けられた位置では、裾ゴム１４によって後身頃１２のたわみや変形が抑制され、バッテリー１０１の重みを支持することができる。これにより、ポケット２０の下端縁２３の位置が下がりにくく、後身頃１２が下方に大きく引っ張られることを抑制できる。
【００２３】
また、図５に示すように、バッテリー１０１の重みによってポケット２０が下方に引っ張られ、バッテリー１０１が裾ゴム１４と着用者との間に嵌まり込む。これにより、バッテリー１０１を着用者の身体（背中Ｓ）と裾ゴム１４とで挟んで押さえることができ、作業中のバッテリー１０１の揺れを抑え、安定的に支持することができる。
【００２４】
この結果、バッテリー１０１の重みで襟元が締まってしまうことを防止し、着用者は、バッテリー１０１をポケット２０に収納した状態で違和感なく衣服１を着用することができる。
【００２５】
さらに、バッテリー１０１を着用者の身体（背中Ｓ）と裾ゴム１４とで挟むことで、バッテリー１０１による後身頃１２の膨らみを抑制し、衣服１を着用したときの見栄えの向上を図ることができる。
【００２６】
また、実施例１の衣服１では、送風ファン１００を取り付けるための取付孔１３と、バッテリー１０１を収納するポケット２０とが、胴衣２の後身頃１２に設けられている。また、裾ゴム１４は、着用時に着用者のウエスト部に沿う胴衣２の裾部２ａに、胴衣２の全周（左右の前身頃１１Ｌ，１１Ｒ及び後身頃１２）にわたって設けられている。つまり、裾ゴム１４は、後身頃１２のウエスト部に沿って取り付けられている。
【００２７】
これにより、送風ファン１００及びバッテリー１０１の重みを後身頃１２で支えることができ、例えば、前屈み作業時にバッテリー１０１等の重みで胴衣２が垂れ下がり、作業の邪魔になることを防止できる。また、バッテリー１０１等の重みが、着用者の背中Ｓに作用することになるため、着用者の負担を軽減することができる。
【００２８】
さらに、実施例１の衣服１では、一対の取付孔１３，１３が、後身頃１２の身幅方向の中央部を挟んで左右対称となる位置にそれぞれ設けられ、ポケット２０が、後身頃１２の身幅方向の中央部に取り付けられている。
【００２９】
これにより、送風ファン１００及びバッテリー１０１の重みを左右にバランスよく分散することができ、着用者の負担を軽減することができる。また、例えば、ポケット２０を前身頃１１に取り付けた場合と比較して、ケーブル１０２を短縮化することができ、着用時にケーブル１０２が引っかかったり絡まったりすることを防止できる。
【００３０】
以上、本考案に係る衣服１を実施例１に基づいて説明したが、具体的な構成は上記実施例に限られるものではなく、この考案の要旨を逸脱しない限り、設計の変更や追加などは許容される。
【００３１】
実施例１の衣服１では、バッテリー１０１を収容するポケット２０の下端縁２３が、裾ゴム１４の取付領域Ｒの上端縁（折り返された裾部２ａの先端２ｂが胴衣２に縫い付けられた縫止め位置α）と同じ位置に固定されている例を示した。しかしながら、ポケット２０の下端縁２３を固定する位置は、裾ゴム１４によってポケット２０の下端縁２３を支持可能な位置であればよい。つまり、ポケット２０の下端縁２３は、裾ゴム１４の取付領域Ｒの上端縁（縫止め位置α）から取付領域Ｒの下端縁（折り返し位置β）までに対向する位置に固定されていればよい。なお、「裾ゴム１４の取付領域Ｒの上端縁から取付領域Ｒの下端縁までに対向する位置」には、取付領域Ｒの上端縁と下端縁との間の途中に対向する位置に加え、取付領域Ｒの上端縁に一致する位置と、取付領域Ｒの下端縁に一致する位置と、を含む。
【００３２】
特に、図６に示す第１変形例の衣服１Ａのように、ポケット２０の下端縁２３を、裾ゴム１４の取付領域Ｒの上端縁と下端縁との間の途中に対向する位置に固定した場合、ポケット２０にバッテリー１０１を収納すると、ポケット２０がほとんど変形しなくても、ポケット２０に収納したバッテリー１０１が裾ゴム１４と着用者との間に嵌り込む。これにより、バッテリー１０１を裾ゴム１４と着用者の間に挟んで支持する際、ポケット２０の変形がほとんど生じず、後身頃１２のたわみを抑制して、見栄えの向上を図ることができる。
【００３３】
また、実施例１のポケット２０は、マチのない一枚の生地によって構成されているが、これに限らない。例えば、図７に示す第２変形例の衣服１Ｂのように、ポケット２０がマチ２４を有していてもよい。すなわち、ポケット２０の両側部及び下端部２３にマチ２４を設けてもよい。この場合、バッテリー１０１を収納したときのポケット２０の変形を抑制することができ、後身頃１２に生じるたわみを抑え、見栄えの向上を図ることができる。なお、マチ２４は、ポケット２０の下端部２３のみに設けられたり、ポケット２０の両側部のみに設けられたりしてもよい。
【００３４】
また、図８Ａ及び図８Ｂに示す第３変形例の衣服１Ｃのように、ポケット２０の下端縁２３を、裾ゴム１４の取付領域Ｒの上端縁（縫止め位置α）に縫い込むと共に、下端縁２３から生地を下方に垂らして折り返し、ポケット下部に袋状部分（ふらし）２５を設けてもよい。袋状部分２５は、下端縁２３よりも下方に垂れ下がり、裾ゴム１４の取付領域Ｒに対向する。これにより、ポケット２０の下部を裾ゴム１４に対し、裾ゴム１４から離した状態で対向させることができ、ポケット２０にバッテリー１０１を収納したときに、裾ゴム１４の伸びが阻害されることを防止できる。このため、裾ゴム１４でバッテリー１０１を強固に抑えることができる。
【００３５】
また、第３変形例の衣服１Ｃでは、ポケット２０の下端縁２３を縫止め位置αに縫い込んでいるため、裾ゴム１４を伸ばした状態でポケット２０を縫い合わせる必要がない。そのため、縫製作業の負担を軽減することができ、生産効率の向上を図ることができる。
【００３６】
さらに、第３変形例の衣服１Ｃでは、ポケット２０の両側縁のうち、開口部２０ａから袋状部分２５（下端縁２３）までの間は後身頃１２に直接縫い付けられ、マチが設けられていない。このため、ポケット２０が、ポケット下部に袋状部分２５を有していても、縫製が複雑になることを防止できる。また、比較的大型のバッテリー１０１の大きさに応じて設計されたポケット２０に小型のバッテリー１０１を収納したときには、バッテリー１０１の両側にポケット２０の生地を余らせることができる。この場合、ポケット２０の両側をだぶつかせて、裾部２ａと着用者との間に生じる隙間をふさぐことができる。これにより、裾部２ａから衣服１Ｃの外部へと空気が漏れることを防止できる。
【００３７】
また、ポケット２０の生地は、胴衣２と同じ生地であってもよいし、胴衣２とは異なる生地であってもよい。ポケット２０を胴衣２とは異なる生地で形成する場合、特にメッシュ布を使用すると、収納したバッテリー１０１をポケット２０の外側から透かして見ることができる。その場合、バッテリー１０１に設けた電源ボタン等がポケット２０の外側から目視で確認することができ、操作の容易性を向上させることができる。さらに、バッテリー１０１の熱を放熱させやすくできる。
【００３８】
また、ポケット２０を胴衣２とは異なる生地で形成する場合、胴衣２よりも伸縮性を有する生地（例えば、袖口等に使用可能なニット生地等）によって形成してもよい。この場合、比較的小型のバッテリー１０１の大きさに応じてポケット２０の大きさを設定しても、ポケット２０の生地が伸縮することで、大型のバッテリー１０１を収納することが可能となる。また、マチがなくても大型のバッテリー１０１を収納可能であるため、マチをつくる手間がなく、縫製負担を軽減することができる。さらに、ポケット２０が伸長することによってポケット２０に収納したバッテリー１０１を押さえつけることができ、バッテリー１０１がポケット２０内で移動することを防止できる。
【００３９】
さらに、ポケット２０を比較的厚手の生地によって形成する場合では、ポケット２０が緩衝材となり、バッテリー１０１の着用者への当たりを軽減することができる。
【００４０】
なお、ポケット２０にマチ２４を設けた場合において、ポケット２０の生地を胴衣２と同じ生地とし、マチ２４のみをメッシュ生地や、伸縮性を有する生地等の胴衣２とは異なる生地によって形成してもよい。また、ポケット２０のみをメッシュ生地等の胴衣２とは異なる生地とし、マチ２４を胴衣２と同じ生地で形成してもよい。すなわち、ポケット２０を部分的に異なる生地によって形成してもよい。
【００４１】
また、実施例１の衣服１では、ポケット２０を後身頃１２の身幅方向の中央部に取り付けた例を示したが、これに限らない。ポケット２０は、例えば、前身頃１１や、胴衣２の脇に取り付けられてもよい。
【００４２】
また、衣服１に設けた前身頃１１の係止部材１１ａは、スライドファスナ（線ファスナ）に限られず、クイックオープン式ファスナーや面ファスナーであってもよく、スナップボタン等であってもよい。また、衣服１は、前身頃１１が左右に分割されていない、いわゆるプルオーバータイプの衣服であってもよい。
【００４３】
さらに、実施例１の衣服１は、着用者が上半身に着る上着であるが、例えば、上着とズボンが一体になったつなぎタイプのものであってもよい。また、衣服１は、半袖や、袖３のないノースリーブ、袖３が着脱可能な衣服であってもよい。
【００４４】
また、実施例１の衣服１では、裾ゴム１４が、胴衣２の全周にわたって設けられた例を示したが、これに限らない。裾ゴム１４は、着用者への裾部２ａの必要な密着性を保つことができれば、胴回りの一部のみに設けられてもよい。
【００４５】
さらに、実施例１の衣服１では、裾部２ａが胴衣２の内側に折り返されて生じた裾空間Ｓに裾ゴム１４が配置されることで、胴衣２に裾ゴム１４が取り付けられる例を示したが、これに限らない。例えば、裾ゴム１４を包みこんだベルト布を裾部２ａに縫い付けることで、裾ゴム１４を胴衣２に取り付けてもよい。
また、実施例１の衣服１では、伸縮材である裾ゴム１４が後身頃１２のウエスト部に沿って取り付けられた例を示したが、これに限らない。伸縮材は、胴衣２の一部を着用者の身体に沿わせることができればよいので、例えば、前身頃の裾や後身頃１２の中央部等に取り付けられてもよい。
【符号の説明】
【００４６】
１、１Ａ、１Ｂ、１Ｃ    衣服
２                胴衣
２ａ              裾部
１１              前身頃
１２              後身頃
１３              取付孔
１４              裾ゴム（伸縮材）
２０              ポケット
２３              下端縁
１００            送風ファン
１０１            バッテリー
１０２            ケーブル
Ｒ                取付領域
α                縫止め位置（取付領域Ｒの上端縁）
β                折り返し位置（取付領域Ｒの下端縁）
【図１】
0003230521.tif 000003
【図２】
0003230521.tif 000004
【図３】
0003230521.tif 000005
【図４】
0003230521.tif 000006
【図５】
0003230521.tif 000007
【図６】
0003230521.tif 000008
【図７】
0003230521.tif 000009
【図８Ａ】
0003230521.tif 000010
【図８Ｂ】
0003230521.tif 000011